(57)【要約】【課題】内部に装入された物体を拡大して見ることができるという機能を維持しつつ、該物体を自由に取り替えることができるようにした球状装飾体及び該球状装飾体を用いた装飾置物を提供する。【解決手段】内部透視可能な透光性材質を用いて一対で球を成す二つの半球２ａ，２ｂを形成し、かつその一方（又は両方）の半球２ｂの平面部３ｂに、夫々の平面部３ａ，３ｂを重ね合わせた状態で被拡大物５の装入空隙６を生じる凹部４ａを形成するとともに、両半球２ａ，２ｂを分離可能に結合して球状とする結合手段を設けて球状装飾体１を構成した。また、該球状装飾体１を、その下底部を座定する球受部１３を備えた支持台１０によって支持することにより装飾置物９を構成した。【選択図】    図３
2004262033.tif 000002
【特許請求の範囲】
【請求項１】
内部透視可能な透光性材質を用いて形成された一対で球を成す二つの半球を備え、かつその一方又は両方の半球の平面部には、夫々の平面部を重ね合わせた状態で被拡大物の装入空隙を生じる凹部が形成され、さらに両半球を分離可能に結合して球状とする結合手段を備えてなることを特徴とする球状装飾体。
【請求項２】
結合手段が、両半球の夫々の平面部に相互吸着可能に配設した磁石、又は一方の平面部に配設した磁石と、他方の平面部に配設されて該磁石に吸着される磁性体とによって構成されていることを特徴とする請求項１記載の球状装飾体。
【請求項３】
請求項１又は請求項２記載の球状装飾体を、その下底部を座定する球受部を備えた支持台によって支持してなることを特徴とする装飾置物。
【発明の詳細な説明】
【０００１】
【発明の属する技術分野】
本発明は、球状装飾体及び該球状装飾体を用いた装飾置物に関する。
【０００２】
【従来の技術】
従来より、透明なガラス，合成樹脂等の内部透視可能な透光性材質からなる球体の略中心部に物体を一体的に装入してなる球状装飾体が知られている（例えば、特許文献１参照）。かかる球状装飾体は、球体が拡大レンズとして機能するため、球状装飾体の外部から物体を見ると、該物体が実際の大きさより拡大されて見える。
【０００３】
【特許文献１】
特開２０００−１４０４５２号公報
【０００４】
【発明が解決しようとする課題】
ところで、従来のような内部に物体を装入した球体によって構成された一体型の球状装飾体にあっては、内部に装入されている物体を取り替えることができないという問題点がある。このため、すぐに飽きられ易く、興趣性が低いものであった。
【０００５】
本発明は、内部に装入された物体を拡大して見ることができるという機能を維持しつつ、該物体を自由に取り替えることができるようにした球状装飾体及び該球状装飾体を用いた装飾置物を提供することを目的とするものである。
【０００６】
【課題を解決するための手段】
本発明は、内部透視可能な透光性材質を用いて形成された一対で球を成す二つの半球を備え、かつその一方又は両方の半球の平面部には、夫々の平面部を重ね合わせた状態で被拡大物の装入空隙を生じる凹部が形成され、さらに両半球を分離可能に結合して球状とする結合手段を備えてなることを特徴とする球状装飾体である。
【０００７】
かかる構成にあって、凹部内に被拡大物としての任意の物体を配置し、夫々の平面部を重ね合わせた状態で、両半球を結合手段を介して結合させて球状とすることにより、内部に生じる装入空隙内に物体が保持される。そして、この球状体の外部で半球の平面部に直交する方向から物体を見ると、半球の拡大レンズ作用により、球状体の略全体に亘って拡大された物体を目視することができる。ここで、両半球は結合手段を介して分離可能に結合されていることにより、両半球を分離すれば、装入空隙内の物体を自由に取り替えることができる。これにより、球状体内に、好みに応じて被拡大物としての様々な物体を入れることができるので、飽きることがなく、球状装飾体の興趣性が向上する。
【０００８】
上記結合手段としては、両半球の夫々の平面部に相互吸着可能に配設した磁石、又は一方の平面部に配設した磁石と、他方の平面部に配設されて該磁石に吸着される磁性体とによって構成したものが提案される。このように磁石の吸着力を利用することにより、構造を簡単化することができるとともに、両半球の結合及び分離を容易に行うことができる。
【０００９】
また、上述した球状装飾体を、その下底部を座定する球受部を備えた支持台によって支持することにより装飾置物とした構成が提案される。かかる構成にあっては、支持台の球受部に球状装飾体の下底部を座定することにより、球状装飾体が支持台上に安定して支持された装飾置物となり、球状装飾体の左右方向及び上下方向の向きを簡単に変えることができる。
【００１０】
【発明の実施の形態】
以下に、本発明にかかる球状装飾体の第一実施例を、図１〜図４に基づいて説明する。
球状装飾体１は、図１（イ）に示すように、前後一対で球を成す二つの半球２ａ，２ｂを備えている。両半球２ａ，２ｂは、球をその略中心を通る平面で二分した形状を呈しており、透明なガラス，合成樹脂等の内部透視可能な透光性材質を用いて形成されている。尚、該半球２ａ，２ｂは内部透視可能であれば、適宜の色に着色されていてもよい。該半球２ａ，２ｂにあって、後部側となる一方の半球２ｂの平面部３ｂには、図２に示すように、その中央部に半球状の凹部４ａが形成されている。これにより、該半球２ａ，２ｂの平面部３ａ，３ｂを重ね合わせると、図１（ロ）に示すように、凹部４ａによって被拡大物５の装入空隙６が生じるようになっている。また、一方の半球２ｂの平面部３ｂには、図２に示すように、前記凹部４ａより外周寄りの複数箇所（図示した例では１８０°異なる二箇所）に、偏平円板状の磁石７，７が平面部３ｂと面一となる埋入状態で配設されており、他方の半球２ａの平面部３ａには、前記磁石７，７に対応する位置に偏平円板状の磁石８，８が平面部３ａと面一となる埋入状態で配設されている。該磁石７，７と磁石８，８は、半球２ａ，２ｂの夫々の平面部３ａ，３ｂを重ね合わせると相互吸着し、図１（ロ）に示すように、両半球２ａ，２ｂが分離可能に結合して球状となる。そして、この磁石７，７と磁石８，８が、半球２ａ，２ｂを分離可能に結合する結合手段となっている。尚、該磁石７，７と磁石８，８の何れか一方を鉄板等の磁性体とすることも可能である。
【００１１】
かかる構成にあって、半球２ａ，２ｂを分離して、写真，メダル，マスコット，キャラクター人形，花冠その他の被拡大物５としての任意の物体を凹部４ａ内に配置し、夫々の平面部３ａ，３ｂを重ね合わせた状態で、図１（ロ）に示すように、両半球２ａ，２ｂを結合手段を介して結合させて球状とすることにより、内部に生じる装入空隙６内に物体が保持される。そして、この球状装飾体１を、前部側の半球２ａの前方向（矢印Ｆ方向）から見ると、半球２ａの拡大レンズ作用によって拡大された物体を目視することができる。また、両半球２ａ，２ｂは結合手段を介して分離可能に結合されていることにより、両半球２ａ，２ｂを分離すれば、装入空隙６内の物体を自由に取り替えることができる。
【００１２】
図３は、上記球状装飾体１を用いた装飾置物９を示し、該装飾置物９は、球状装飾体１と支持台１０とによって構成されている。支持台１０は、天板１１と脚体１２とからなり、天板１１にはその中央部分に円形の透孔からなる球受部１３が形成されている。そして、該球受部１３に球状装飾体１の下底部を乗載して座定することにより、球状装飾体１を支持台１０上に安定的に支持し得るようになっている。ここで、球状装飾体１は、その下底部の一部が球受部１３に係合された状態で座定されていることにより、球状装飾体１の左右方向及び上下方向の向きを簡単に変えることができるようになっている。
【００１３】
図４は、実際に製作した装飾置物９を示し、この例は、球状装飾体１の装入空隙６内に被拡大物５として男女の写真を保持させて、前部側の半球２ａの前方向（図３の矢印Ｆ方向）から見たものであり、男女の写真が球状装飾体１の略全体に亘って拡大されていることが理解される。
【００１４】
図５は、第一実施例の変形実施例を示し、この変形実施例は、上記第一実施例における凹部４ａの形状を変更したものである。即ち、第一実施例では、後部側の半球２ｂの平面部３ｂに半球状の凹部４ａを形成することにより、半球２ｂの球面の厚みが同じとなっているのに対して、図５（イ）では、後部側の半球２ｂの中心よりも半球状の凹部４ｂの中心を前部側にずらした状態で平面部３ｂに球面状の凹部４ｂを形成することにより、半球２ｂの球面の肉厚を中央部で厚くし、周縁に至るに従って薄くなるようにしたものである。これによって、球状装飾体１の前方向（矢印Ｆ方向）と後方向（矢印Ｒ方向）のどちらから見ても、装入空隙６内に保持された被拡大物５を拡大して目視することができ、また、前方向（矢印Ｆ方向）と後方向（矢印Ｒ方向）とではその拡大率を異ならせることができる。図５（ロ）は、前部側の半球２ａの平面部３ａに比較的浅い平滑面の凹部４ｃを形成したものであり、写真，メダル等の薄板状の被拡大物５を安定的に保持させることができるようにしたものである。この構成にあっても、前方向（矢印Ｆ方向）と後方向（矢印Ｒ方向）のどちらから見ても、装入空隙６内に保持された被拡大物５を拡大して目視することができる。
【００１５】
図６は、第二実施例を示し、この実施例は、前部側の半球２ａの平面部３ａと、後部側の半球２ｂの平面部３ｂとに夫々凹部（４ｂ，４ｃ）を形成したものである。即ち、図６（イ）は、上述した図５（イ）と同様に中央部ほど球面の肉厚が厚くなる凹部４ｂ，４ｂを半球２ａ，２ｂの平面部３ａ，３ｂに形成したものであり、図６（ロ）は、比較的浅い平滑面の凹部４ｃ，４ｃを半球２ａ，２ｂの平面部３ａ，３ｂに形成したものである。また、図６（ハ）は、後部側の半球２ｂの平面部３ｂに中央部ほど球面の肉厚が厚くなる凹部４ｂを形成する一方、前部側の半球２ａの平面部３ａに比較的浅い平滑面の凹部４ｃを形成したものである。これにより、装入空隙６を、装入される被拡大物５に適した形状に形成することができる。また、図６（イ）〜（ハ）に示した構成は、球状装飾体１の前方向（矢印Ｆ方向）と後方向（矢印Ｒ方向）のどちらから見ても、装入空隙６内に保持された被拡大物５を拡大して目視することができる。
【００１６】
尚、本発明にかかる球状装飾体及び該球状装飾体を用いた装飾置物は、アクセサリー，写真立て，広告用ディスプレイ等に用いることができ、また各種用途が期待される。
【００１７】
【発明の効果】
本発明は、上述したように、内部透視可能な透光性材質を用いて形成された一対で球を成す二つの半球を備え、かつその一方又は両方の半球の平面部には、夫々の平面部を重ね合わせた状態で被拡大物の装入空隙を生じる凹部が形成され、さらに両半球を分離可能に結合して球状とする結合手段を備えてなることを特徴とする球状装飾体であるから、装入空隙内に被拡大物としての物体を保持させた状態で、半球の平面部に直交する外部方向から物体を見ると、半球の拡大レンズ作用により、拡大された物体を目視することができる。また、両半球は結合手段を介して分離可能に結合されていることにより、両半球を分離すれば、装入空隙内の物体を自由に取り替えることができる。これにより、好みに応じて被拡大物としての様々な物体を入れることができるので、飽きることがなく、球状装飾体の興趣性が向上する。
【００１８】
上記結合手段を、両半球の夫々の平面部に相互吸着可能に配設した磁石、又は一方の平面部に配設した磁石と、他方の平面部に配設されて該磁石に吸着される磁性体とによって構成すれば、構造を簡単化することができるとともに、両半球の結合及び分離を容易に行うことができる。
【００１９】
また、上述した球状装飾体を、その下底部を座定する球受部を備えた支持台によって支持することにより構成した装飾置物にあっては、支持台の球受部に球状装飾体の下底部を座定することにより、球状装飾体が支持台上に安定して支持された装飾置物とすることができ、さらに、球状装飾体の左右方向及び上下方向の向きを簡単に変えることができる優れた効果がある。
【図面の簡単な説明】
【図１】（イ）は第一実施例にかかる球状装飾体を構成する二つの半球の分離状態を示す側断面図、（ロ）はその結合状態を示す側断面図である。
【図２】分離状態の二つの半球の平面部を示す正面図である。
【図３】装飾置物の構成を示す一部切欠側面図である。
【図４】実際に製作した装飾置物を撮影した写真を示す参考図である。
【図５】第一実施例の変形実施例にかかる球状装飾体を示し、凹部の形状を種々変更した二つの半球の結合状態を示す側断面図である。
【図６】第二実施例にかかる球状装飾体を示し、凹部の形状を種々変更した二つの半球の結合状態を示す側断面図である。
【符号の説明】
１  球状装飾体
２ａ，２ｂ  半球
３ａ，３ｂ  平面部
４ａ，４ｂ，４ｃ  凹部
５  被拡大物
６  装入空隙
７  磁石
８  磁石
９  装飾置物
１０  支持台
１３  球受部
【図１】
2004262033.tif 000003
【図２】
2004262033.tif 000004
【図３】
2004262033.tif 000005
【図４】
2004262033.tif 000006
【図５】
2004262033.tif 000007
【図６】
2004262033.tif 000008